(57)【特許請求の範囲】
【請求項１】
バルブハウジングと、
該バルブハウジングに設けられた流入路及び流出路と、
これらの流入路及び流出路に対してダイヤフラムを介して区画されている管制室と、
該ダイヤフラムに対峙して前記流出路の始端部分に設けられたシート部と、
該流入路と管制室とを連通するように該ダイヤフラムに設けられた小孔と、
該管制室と前記流出路とを連通している管制用の流路と、
該管制用の流路を開閉するための開閉弁体と、
該管制弁体を進退させるための管制ロッドと、
を有するバルブにおいて、
該管制ロッドを移動させるための手段として、
該バルブハウジングに設けられた支軸と、
該支軸回りに揺動自在とされており、該支軸から離隔した揺動部が該ロッドに係合するレバーと、
該揺動部がロッド後退位置とロッド前進位置の２ケ所において停止するように該レバーを付勢する引張コイルバネと
からなる手段が設けられており、
該バルブハウジングのうち該支軸の一方のサイドにバネサポートが突設されており、該レバーの裏面のうち該支軸を挟んで該バネサポートと反対側にフックが設けられており、これらバネサポートとフックとの間に該引張コイルバネが架け渡されていることを特徴とするバルブ。
【請求項２】
水の吐出手段と湯の吐出手段とを有する吐水装置において、これらの吐出手段がそれぞれ請求項１のバルブを備えていることを特徴とする吐水装置。
【請求項３】
カランへの給水手段とシャワーへの給水手段とを有する吐水装置において、これらの給水手段がそれぞれ請求項１のバルブを備えていることを特徴とする吐水装置。
【発明の詳細な説明】
【０００１】
【発明の属する技術分野】
本発明はダイヤフラムを有するバルブとそれを用いた吐水装置に係り、特にダイヤフラムを手動にて動作させるようにしたバルブと吐水装置に関する。
【０００２】
【従来の技術】
ダイヤフラムを有するバルブにおいては、周知の通り、流入路と流出路とを隔てるようにダイヤフラムが配置され、このダイヤフラムの背後に管制室が設けられている。なお、この流出路の始端部分にシート部が設けられており、このシート部にダイヤフラムが着座する。
【０００３】
管制室と流入路とは、ダイヤフラムに設けられた小孔によって常時連通している。管制室と流出路とは、管制弁体を有する管制用流路によって連通されている。
【０００４】
この管制弁体を開動作させることにより、管制室内の水圧が流出路に抜け、流入路からの水圧によってダイヤフラムがシート部から離反し、流入路と流出路とが直に連通し、バルブが開弁状態となる。
【０００５】
管制弁体を閉とすると、流入路内の水が小孔を通って徐々に管制室に流入し、やがてダイヤフラムがシート部に着座し、止水状態となる。
【０００６】
【発明が解決しようとする課題】
この管制弁体を動作させる場合、管制弁体を開位置又は閉位置に停止させる必要があるが、従来においては管制弁体を開及び閉のいずれの位置においても確実に停止させておくことが可能な手動機構が提供されておらず、管制弁体は例えばソレノイド等によって動作させざるを得なかった。
【０００７】
本発明は、手動にて管制弁体を動作させることができ、しかも管制弁体を開位置及び閉位置に確実に位置させることができるダイヤフラムを有するバルブ及びこのバルブを用いた吐水装置を提供することを目的とする。
【０００８】
【課題を解決するための手段】
本発明（請求項１）のダイヤフラムを有するバルブは、バルブハウジングと、該バルブハウジングに設けられた流入路及び流出路と、これらの流入路及び流出路に対してダイヤフラムを介して区画されている管制室と、該ダイヤフラムに対峙して前記流出路の始端部分に設けられたシート部と、該流入路と管制室とを連通するように該ダイヤフラムに設けられた小孔と、該管制室と前記流出路とを連通している管制用の流路と、該管制用の流路を開閉するための開閉弁体と、該管制弁体を進退させるための管制ロッドと、を有するバルブにおいて、該管制ロッドを移動させるための手段として、該バルブハウジングに設けられた支軸と、該支軸回りに揺動自在とされており、該支軸から離隔した揺動部が該ロッドに係合するレバーと、該揺動部がロッド後退位置とロッド前進位置の２ケ所において停止するように該レバーを付勢する引張コイルバネとからなる手段が設けられており、該バルブハウジングのうち該支軸の一方のサイドにバネサポートが突設されており、該レバーの裏面のうち該支軸を挟んで該バネサポートと反対側にフックが設けられており、これらバネサポートとフックとの間に該引張コイルバネが架け渡されていることを特徴とするものである。
【０００９】
かかるバルブにおいては、レバーの揺動部が付勢部材としての引張コイルバネによって２位置に停止可能であり、管制ロッドを介して管制弁体を２位置に停止させることができる。
【００１０】
本発明（請求項２）の吐水装置は、水の吐出手段と湯の吐出手段とを有する吐水装置において、これらの吐出手段がそれぞれ請求項１のバルブを備えていることを特徴とするものである。
【００１１】
本発明（請求項３）の吐水装置は、カランへの給水手段とシャワーへの給水手段とを有する吐水装置において、これらの給水手段がそれぞれ請求項１のバルブを備えていることを特徴とするものである。
【００１２】
【発明の実施の形態】
以下図面を参照して実施の形態について説明する。第１図は実施の形態に係る手動式ダイヤフラムバルブの断面図、第２図はこのバルブの吐水状態を示す断面図である。
【００１３】
流入路１０及び流出路１２を有するハウジング１４に対しハウジングキャップ１６が装着されることにより管制室１８が設けられている。なお、流出路１２のハウジング内部の端部は管制室１８に向って突出する円環状のシート部２０となっている。このシート部２０に着座するようにダイヤフラム２２が設けられている。このダイヤフラム２２には、管制室１８と流入路１０とを連通する第１の小孔２４と、管制室１８と流出路１２とを連通する第２の小孔２６とが設けられている。ダイヤフラム２２の管制室１８側にあっては、第２の小孔２６の縁部が管制室１８側に突出することによりシート部２８が形成されている。
【００１４】
前記ハウジングキャップ１６を貫通して管制ロッド３０が管制室１８内に挿入されており、この管制ロッド３０の管制室１８内側の端部に管制弁体３２が設けられている。なお、ハウジングキャップ１６に設けられた管制ロッド３０の挿通孔の内周面には、該ロッドの内周面と貫通孔との間のシールを行うシールリング３４が配置されている。
【００１５】
この管制ロッド３０を進退させるために、レバー３６が支軸サポート３８及び支軸４０を介してハウジングキャップ１６に揺動可能に支持されている。ハウジングキャップ１６には、支軸サポート３８の一方のサイドにバネサポート４２が突設されており、レバー３０の裏面のうち支軸４０を挟んで該バネサポート４２と反対側にフック４４が設けられている。これらバネサポート４２とフック４４との間に引張コイルバネ４６が架け渡されている。
【００１６】
第１図の如く、フック４４の位置が支軸４０よりもハウジングキャップ１６に近い場合には、レバー３６の第１図右側が下向きに付勢される。また、第２図の如く、フック４４が支軸４０よりもハウジングキャップ１６から遠い場合には、レバー３６の左側が下向きに付勢される。第２図においては、レバー３６の左側がハウジングキャップ１６に設けられたストッパ４８に当接している。
【００１７】
レバー３６の裏面には、管制ロッド３０を引き上げるための係止爪５０が設けられている。
【００１８】
このように構成された手動式ダイヤフラムバルブにおいて、第１図の如くレバー３６の右側部分を押し込んだ場合には、管制ロッド３０がレバー３６によって第１図の下方に付勢され、管制弁体３２がダイヤフラム２２のシート部２８に着座し、第２の小孔２６が閉鎖される。この状態にあっては、流入路１０内の水圧が第１の小孔２４を介して管制室１８に伝達され、ダイヤフラム２２をシート部２０に密着させる。これにより、流入路１０と流出路１２とが遮断され、バルブが止水状態となる。
【００１９】
レバー３６の左側を押し込むと、係止爪５０が管制ロッド３０を引き上げ、管制弁体３２がシート部２８から離反する。そうすると、管制室１８内が第２の小孔２６を介して流出路１２に連通するため、管制室１８内の水圧が流入路１０よりも低くなる。これにより、ダイヤフラム２２が流入路１０からの水圧によってシート部２０から離反する方向に移動し、流入路１０が流出路１２に直接に連通した状態となる。そして、流入路１０からの水が流出路１２を経て流出し、バルブが吐水状態となる。
【００２０】
なお、この第２図の吐水状態において、再びレバー３６の右側を押すと、管制弁体３２が第２の小孔２６を閉鎖したままダイヤフラム２２がシート部２０への着座方向に向って移動し、（なお、この際、第１の小孔２４を介して管制室１８内に水が流入する）やがてダイヤフラム２２がシート部２０に着座し、第１図に示す止水状態となる。
【００２１】
このように、この第１，２図に示す手動式ダイヤフラムバルブにあっては、レバー３６の端部を押すことにより、バルブを開閉することができる。
【００２２】
第３図は別の実施の形態に係る手動式ダイヤフラムバルブの断面図であり、閉弁状態を示している。第４図はこの第３図のバルブの吐水状態を示す断面図である。
【００２３】
この実施の形態にあっては、ハウジング５４及びハウジングキャップ５６にバイパス流路５８が設けられており、このバイパス流路５８と管制室１８との間に仕切壁６０が設けられている。この仕切壁６０に第２の小孔６２が設けられており、この第２の小孔６２を塞ぐように管制弁体３２が設けられている。バイパス流路５８は、この第２の小孔６２と流出路１２とを連通するように設けられている。その他の構成は第１，２図のバルブと同様であり、同一部分に同一符号を付してその説明を省略する。
【００２４】
このように構成された第３，４図の手動式ダイヤフラムバルブにおいても、レバー３６の左側又は右側を押すことにより、吐水、止水を行うことができる。第３図に示す状態にあっては、レバー３６の右側が押されており、管制弁体３２が第２の小孔６２を閉鎖している。この状態にあっては、流入路１０内の水圧が第１の小孔２４を介して管制室１８内に伝達され、ダイヤフラム２２が水圧によってシート部２０に押し付けられ、止水されている。なお、管制弁体３２はレバー３６を介してバネ４６の付勢力によって第２の小孔６２に密着している。
【００２５】
この第３図の状態において、レバー３６の左側を押し込むと、管制弁体３２に加えられていた押付力が解除され、管制室１８からの水圧によって管制弁体３２が第２の小孔６２から離反する。これにより、管制室１８がバイパス流路５８を介して流出路１２に連通し、管制室１８内の水圧が低下する。これにより、ダイヤフラム２２が流入路１０からの水圧によって押し上げられ、シート部２０から離反する。そして、流入路１０からの水が流出路１２へ直接に流出し、バルブが吐水状態となる。なお、ダイヤフラム２２がシート部２０から離反するときには、管制室１８内の水が第２の小孔６２及びバイパス流路５８を介して流出路１２に流出する。
【００２６】
第４図の吐水状態において、レバー３６の右側を押し込むと、第２の小孔６２が管制弁体３２で閉鎖される。そして、ダイヤフラム２２の復元力によってダイヤフラム２２がシート部２０に向って徐々に移動する。なお、この際第１の小孔２４を介して管制室１８内に水が徐々に流入する。そして、ついにはダイヤフラム２２がシート部２０に密着し、第３図に示す止水状態に復帰する。
【００２７】
第５図はこのような手動式ダイヤフラムバルブを備えた吐水装置が設けられた手洗キャビネットの斜視図である。手洗キャビネット７０の上面に手洗器７２が設置され、この手洗器７２の後壁部の上部に吐水装置７４が設けられている。この吐水装置７４内に上記いずれかの実施の形態のダイヤフラムバルブが設けられ、吐水装置７４の前面にレバー３６が設置されている。なお、この手洗器にあっては、水用のバルブと湯用のバルブとが設置されており、レバー３６が２個設けられている。第５図の左側のレバー３６を操作することにより、吐水装置７４の下側に設けられた吐水口から湯を吐出させることができる。また、吐水装置７４の右側のレバー３６を操作することにより、吐水装置７４の下側の吐水口から水を吐水させることができる。
【００２８】
手洗キャビネット７０の上部にはミラーキャビネット７６が設置されている。このミラーキャビネット７６は左右一対のパーティション７８を備えている。
【００２９】
第６図は実施の形態に係る吐水装置８０を備えたユニット式浴室の斜視図であり、浴槽８２、洗い場８４、カウンター８６、ミラー８８等を備えた浴室内の該カウンター８６の前面に該吐水装置８０が設置されている。
【００３０】
この吐水装置８０は、第７〜９図の通り、給水ポート９０、給湯ポート９２からの水と湯をサーモ弁９４にて混合し、この混合水をシャワー用のバルブ９６及びホース９８を介してシャワーヘッド１００から吐出させたり、カラン用のバルブ１０２を介してカラン１０４から吐出させたりするようにしている。
【００３１】
このバルブ９６、１０２は第３、４図の実施の形態のいずれかのものであり、吐水装置８０の前面側にレバー３６が配置されている。なお、第３、４図のバルブの代わりに第１、２図のバルブを用いても良い。
【００３２】
サーモ弁９４は、温調ハンドル１０６を回すことによって進退される温調弁体１０８及び温調サーモ１１０を備えた周知の構成のものである。
【００３３】
給水ポート９０からの水は、給水受入室１１２から水流入口１１４を経てサーモ弁９４内に流入する。給湯ポート９２からの湯は、給湯受入室１１６から湯流入口１１８を経てサーモ弁９４内に流入する。サーモ弁９４内で混合された混合水は、混合水室１２２を介してバルブ９６又は１０２へ供給される。
【００３４】
シャワー用バルブ９６からの混合水は、シャワーポート１２４（第８図）を介してホース９８へ送り出される。カラン用バルブ１０２からの混合水は、カラン用出湯室１２６（第８図）を介してカラン１０４へ送り出される。
【００３５】
この吐水装置８０においては、正面向って左側のシャワー用レバー３６を操作することによりシャワーヘッド１００からの吐水、止水を切り替えることができ、右側のカラン用レバー３６を操作することによりカラン１０２からの吐水、止水を切り替えることができる。
【００３６】
【発明の効果】
以上の通り、本発明の手動式ダイヤフラムバルブによると、レバーを操作することにより吐水と止水とを切り替えることができる。このレバーは閉弁位置と開弁位置とをバネによって切り替えることが可能なものであり、いわゆるワンタッチにて吐水、止水操作することが可能である。
【００３７】
本発明の吐水装置は、このバルブを備えたものであり、吐水、止水操作が簡単である。
【図面の簡単な説明】
【図１】実施の形態に係る手動式ダイヤフラムバルブの止水状態の断面図である。
【図２】図１のバルブの吐水状態の断面図である。
【図３】別の実施の形態に係る手動式ダイヤフラムバルブの止水状態の断面図である。
【図４】図３のバルブの吐水状態の断面図である。
【図５】実施の形態に係るバルブを備えた手洗キャビネットの斜視図である。
【図６】実施の形態に係る吐水装置を備えた浴室の斜視図である。
【図７】図６の吐水装置の正面図である。
【図８】図６の吐水装置の側面図である。
【図９】図６の吐水装置の通水系統図である。
【符号の説明】
１０  流入路
１２  流出路
１４  ハウジング
１６  ハウジングキャップ
１８  管制室
２０  シート部
２２  ダイヤフラム
２４  第１の小孔
２６  第２の小孔
２８  シート部
３０  管制ロッド
３２  管制弁体
３６  レバー
４０  支軸
４６  バネ
５４  ハウジング
５６  ハウジングキャップ
５８  バイパス流路
６２  第２の流路
７０  手洗キャビネット
７６  ミラーキャビネット
【図１】
0003747558.tif 000002
【図２】
0003747558.tif 000003
【図３】
0003747558.tif 000004
【図４】
0003747558.tif 000005
【図５】
0003747558.tif 000006
【図６】
0003747558.tif 000007
【図７】
0003747558.tif 000008
【図８】
0003747558.tif 000009
【図９】
0003747558.tif 000010